(57)【要約】【課題】従来の除湿装置では、運転中にファンモーターの運転により生じる風切り音の音圧が高く、除湿装置の近辺に人がいる場合などの静寂が求められる状況では騒音となるという課題があった。【解決手段】除湿装置の本体１と、この除湿装置の本体１の周囲の明るさを検知する照度センサー６と任意に制御時間の設定ができるタイマー機能を有する制御装置２１と、前記制御装置２１で制御されるファンモーター２０を備えた除湿装置において、前記制御装置２１は、前記照度センサー６の検知結果とタイマー機能により、除湿装置のファンモーターの回転数を制御する機能を備えた構成としたので、室内の照明が消されたときなど除湿装置本体の周囲が暗い時にファンモーターの回転数を下げるとともに任意の時間後に運転停止することで、騒音防止や省エネ運転のできる除湿装置を得られる。【選択図】図１
2008161744.tif 000002
【特許請求の範囲】
【請求項１】
ファンモーターを用いて室内の空気を機器内部に循環させ除湿する機能を有する除湿手段と、周囲の明るさを検知する照度センサーと任意に制御時間の設定ができるタイマー機能を有する制御手段を備えた除湿装置において、前記制御手段が、前記照度センサーの検知結果とタイマー機能により、前記除湿手段の運転中のファンモーター速度を制御する機能を備えたことを特徴とする除湿装置。
【請求項２】
ファンモーターを用いて室内の空気を機器内部に循環させ除湿する機能を有する除湿手段と、人の存在を検知する人感センサーと任意に制御時間の設定ができるタイマー機能を有する制御手段を備えた除湿装置において、前記制御手段が、前記人感センサーの検知結果とタイマー機能により、前記除湿手段の運転中のファンモーター速度を制御する機能を備えたことを特徴とする除湿装置。
【請求項３】
制御手段は、運転状況の表示を行う表示部を備えた除湿装置において、照度センサーの検知結果とタイマー機能により、前記表示部の明度を制御することを特徴とする請求項１記載の除湿装置。
【請求項４】
制御手段は、運転状況の表示を行う表示部を備えた除湿装置において、人感センサーの検知結果とタイマー機能により、前記表示部の明度を制御することを特徴とする請求項２記載の除湿装置。
【請求項５】
制御手段は、運転中のファンモーター速度を制御する機能の有効／無効を設定する機能を備えたことを特徴とする請求項１または２記載の除湿装置。
【請求項６】
制御手段は、運転中のファンモーター速度を制御する機能が動作していることを表示する機能を備えたことを特徴とする請求項１または２記載の除湿装置。
【請求項７】
制御手段は、ファンモーターの速度を制御する複数のレベルを保有し、前記レベルを制御手段に接続したレベル設定スイッチにより選択するレベル選択機能を備え、前記レベル設定スイッチの設定値に応じた前記ファンモーターの速度を制御することを特徴とする請求項１または２記載の除湿装置。
【請求項８】
制御手段は、照度センサーの感度レベルを複数レベル保有し、前記感度レベルを制御手段に接続した感度レベル設定スイッチにより選択する照度センサー感度設定機能を備え、前記感度レベル設定スイッチの設定値に応じた前記照度センサーの検知結果を用いることを特徴とした請求項１記載の除湿装置。
【請求項９】
制御手段は、人感センサーの感度レベルを複数レベル保有し、前記感度レベルを制御手段に接続した感度レベル設定スイッチにより選択する人感センサー感度設定機能を備え、前記感度レベル設定スイッチの設定値に応じた前記人感センサーの検知結果を用いることを特徴とした請求項２記載の除湿装置。
【請求項１０】
制御手段は、タイマーの設定時間を複数保有し、前記タイマーの設定時間を制御手段に接続したタイマー時間設定スイッチにより選択するタイマー時間設定機能を備え、前記タイマー時間設定スイッチの設定値に応じた前記タイマーの設定時間を用いることを特徴とした請求項１ないし４のいずれかに記載の除湿装置。
【請求項１１】
制御手段は、運転中のファンモーター速度を制御する機能が前記ファンモーター速度を制御開始後の所定時間内は制御無効としないことを特徴とする請求項１または２記載の除湿装置。
【発明の詳細な説明】
【技術分野】
【０００１】
本発明は、室内の空気を除湿する機能を有する除湿装置に関する。
【背景技術】
【０００２】
従来の除湿装置は、図２１に示すように、除湿装置内部に設けられた本体外気を吸引および排出を行う送風ファン１０１と、通過する空気中の水分を吸着する吸湿材１０２と、吸湿材１０２から水分を放出するため、吸湿材１０２を加熱再生するための加熱手段である再生ヒーター１０３と、再生空気を流路循環させるための送風手段である再生ファン１０４と、吸湿材１０２から放出される水分を凝縮させる凝縮器１０５と、室温を検出するための温度センサー１０６と、湿度センサー１０７および温度センサー１０６からの信号に基づいて送風ファン１０１と再生ヒーター１０３と再生ファン１０４の運転を制御する制御部１０８と、使用者が運転モードを切り替えるための操作部１０９で構成されている。また再生ヒーター１０３は、ヒーターを段階的に制御するため、複数段階の切り替えが行えるように構成されている。操作部１０９には除湿装置の運転を開始するための運転切および入スイッチ１１０が配されている。また除湿装置の本体１１１の下部には凝縮器１０５において結露した水分を貯めるためのタンク１１２と、湿気を含んだ空気を吸込む吸込口１１３が設けられている（例えば、特許文献１参照）。
【０００３】
上記構成において、除湿装置の動作概要について図１５を参照しながら説明する。まず使用者によって操作部１０９に配された運転切および入スイッチ１１０が押された場合に、除湿装置の運転が開始される。制御部１０８は、温度センサー１０６および湿度センサー１０７によって検出される室内温度および室内湿度に応じて、同時に送風ファン１０１と再生ヒーター１０３の予め設定されている段数の通電と再生ファン１０４を駆動し、また吸湿材１０２の回転を開始する。制御部１０８による送風ファン１０１の駆動により、湿気を含んだ空気が吸込口１１３から流入する。その後回転している吸湿材１０２を通過することにより、水分は吸湿材１０２に吸着し、乾燥した空気が吹出口から排出される。一方、水分を吸着した吸湿材１０２は再生ファン１０４により、再生ヒーター１０３により加熱された空気が送り込まれることにより、その水分を放出し凝縮器１０５へと導かれる。高温高湿となった空気は凝縮器１０５において、吸込口１１３より流入する空気により冷却され、水分が凝縮される。凝縮された水分は凝縮器１０５の内部を通じて、タンク１１２へと導かれ貯水する。
【特許文献１】特開２００４−２６４１９３号公報
【発明の開示】
【発明が解決しようとする課題】
【０００４】
しかしながら、このような従来の除湿装置では、運転中に送風ファン１０１や再生ファン１０４の運転により生じる風切り音の音圧が高く、除湿装置の近辺に人がいる場合などの静寂が求められる状況では音が騒音となるという課題があった。
【０００５】
本発明は、このような従来の課題を解決するものであり、夜間や除湿装置の近辺に人がいる場合などの静寂が求められる状況において、除湿装置周囲の状況や使用者の設定に応じて運転中の送風ファン１０１や再生ファン１０４のファンモーターの回転速度を制御することにより生じる風切り音の音圧を低減し、快適な使用環境を得られる除湿装置を提供することを目的としている。
【課題を解決するための手段】
【０００６】
本発明の除湿装置は上記目的を達成するために、ファンモーターを用いて室内の空気を機器内部に循環させ除湿する機能を有する除湿手段と、周囲の明るさを検知する照度センサーと任意に制御時間の設定ができるタイマー機能を有する制御手段を備えた除湿装置において、前記制御手段が、前記照度センサーの検知結果とタイマー機能により、前記除湿手段の運転中のファンモーター速度を制御する機能を備えたことを特徴としたものである。
【０００７】
この手段により、照度センサーによる室内の明るさ検知により就寝時あるいは人の不在時などの室内の照明が消されたときなど除湿装置本体の周囲、室内が暗い時に、タイマー連動により任意の時間後、すなわち所定時間後ファンモーターの運転速度を低減することで騒音防止や省エネ運転のできる除湿装置が得られる。
【０００８】
また、他の手段は、ファンモーターを用いて室内の空気を機器内部に循環させ除湿する機能を有する除湿手段と、人の存在を検知する人感センサーと任意に制御時間の設定ができるタイマー機能を有する制御手段を備えた除湿装置において、前記制御手段が、前記人感センサーの検知結果とタイマー機能により、前記除湿手段の運転中のファンモーター速度を制御する機能を備えたことを特徴としたものである。
【０００９】
この手段により、人感センサーによる室内の人の存在有無の検知により除湿装置本体の近辺、室内に人がいる時ファンモーターの運転速度を低減するとともに、人がいなくなってからファンモーターの運転速度の復帰ができ、運転速度復帰後タイマー連動により任意の時間後、すなわち所定時間後に再び運転速度を低減する機能により、人がいるときの騒音防止やいなくなった後の自動的なファンモーター速度の調節による省エネ運転ができる除湿装置が得られる。
【００１０】
また、他の手段は、制御手段は、運転状況の表示を行う表示部を備えた除湿装置において、照度センサーの検知結果とタイマー機能により、前記表示部の明度を制御する機能を備えたことを特徴としたものである。
【００１１】
この手段により、室内の照明が消されたときなど除湿装置本体の周囲が暗い時に運転中の表示の明度を低減するとともに任意の時間後表示を完全に消灯するとことで省エネのできる除湿装置が得られる。
【００１２】
また、他の手段は、制御手段は、運転状況の表示を行う表示部を備えた除湿装置において、人感センサーの検知結果とタイマー機能により、前記表示部の明度を制御する機能を備えたことを特徴としたものである。
【００１３】
この手段により、除湿装置本体の近辺に人がいる時に表示の明度を増加させることにより視認性をよくするとともに、人の検知がなくなってから任意の時間後に表示を消灯する機能により、省エネ運転ができる除湿装置が得られる。
【００１４】
また、他の手段は、制御手段は、運転中のファンモーター速度を制御する機能の有効／無効を設定する機能を備えたことを特徴としたものである。
【００１５】
この手段により、使用者が除湿装置の除湿能力を優先するか騒音低減や省エネ性を優先するか選択ができる除湿装置が得られる。
【００１６】
また、他の手段は、制御手段は、運転中のファンモーター速度を制御する機能が動作していることを表示する機能を備えたことを特徴としたものである。
【００１７】
この手段により、使用者が運転中のファンモーター速度を制御する機能が有効か否かが確認でき利便性の向上の得られる除湿装置が得られる。
【００１８】
また、他の手段は、制御手段は、ファンモーターの速度を制御する複数のレベルを保有し、前記レベルを制御手段に接続したレベル設定スイッチにより選択するレベル選択機能を備え、前記レベル設定スイッチの設定値に応じた前記ファンモーターの速度を制御することを特徴としたものである。
【００１９】
この手段により、使用者が騒音低減や省エネ性の度合いを任意に選択することができる除湿装置が得られる。
【００２０】
また、他の手段は、制御手段は、照度センサーの感度レベルを複数レベル保有し、前記感度レベルを制御手段に接続した感度レベル設定スイッチにより選択する照度センサー感度設定機能を備え、前記感度レベル設定スイッチの設定値に応じた前記照度センサーの検知結果を用いることを特徴としたものである。
【００２１】
この手段により、使用者が周囲の明るさの環境に応じて騒音低減や省エネ性の度合いを任意に選択することができる除湿装置が得られる。
【００２２】
また、他の手段は、制御手段は、人感センサーの感度レベルを複数レベル保有し、前記感度レベルを制御手段に接続した感度レベル設定スイッチにより選択する人感センサー感度設定機能を備え、前記感度レベル設定スイッチの設定値に応じた前記人感センサーの検知結果を用いることを特徴としたものである。
【００２３】
この手段により、使用者が除湿装置と人の位置関係や在室人数などの環境に応じて騒音低減や省エネ性の度合いを任意に選択することができる除湿装置が得られる。
【００２４】
また、他の手段は、制御手段は、タイマーの設定時間を複数保有し、前記タイマーの設定時間を制御手段に接続したタイマー時間設定スイッチにより選択するタイマー時間設定機能を備え、前記タイマー時間設定スイッチの設定値に応じた前記タイマーの設定時間を用いることを特徴としたものである。
【００２５】
この手段により、使用者がタイマー時間を設定することにより環境に応じて騒音低減や省エネ性の度合いを任意に選択することができる除湿装置が得られる。
【００２６】
また、他の手段は、制御手段は、運転中のファンモーター速度を制御する機能が前記ファンモーター速度を制御開始後の所定時間内は制御無効としないことを特徴としたものである。
【００２７】
この手段により、運転中のファンモーター速度を制御する機能によるチャタリングを防止する機能を有する除湿装置が得られる。
【発明の効果】
【００２８】
本発明によれば、室内の照明が消されたときなど除湿装置本体の周囲が暗い時に所定時間後ファンモーターの運転速度を低減することで騒音防止や省エネ運転のできる効果のある除湿装置を提供できる。
【００２９】
また、除湿装置本体の近辺に人がいる時ファンモーターの運転速度を低減するとともに、人がいなくなってからファンモーターの運転速度の復帰ができ、運転速度復帰後任意の時間後に再び運転速度を低減または停止する機能により、人がいるときの騒音防止やいなくなった後の自動的なファンモーター速度の調節や停止による省エネ運転ができる効果のある除湿装置を提供できる。
【発明を実施するための最良の形態】
【００３０】
本発明の請求項１記載の発明は、ファンモーターを用いて室内の空気を機器内部に循環させ除湿する機能を有する除湿手段と、周囲の明るさを検知する照度センサーと任意に制御時間の設定ができるタイマー機能を有する制御手段を備えた除湿装置において、前記制御手段が、前記照度センサーの検知結果とタイマー機能により、前記除湿手段の運転中のファンモーター速度を制御する機能を備えた構成としたものであり、照度センサーによる明るさ検知により室内の照明が消されたときなど除湿装置本体の周囲が暗い時に、就寝時あるいは人が不在と判断して、タイマー連動により任意の時間後、すなわち所定時間後にファンモーターの運転速度を低減することで騒音防止や省エネ運転のできる除湿装置が得られるという作用を有する。
【００３１】
また、請求項２記載の発明は、ファンモーターを用いて室内の空気を機器内部に循環させ除湿する機能を有する除湿手段と、人の存在を検知する人感センサーと任意に制御時間の設定ができるタイマー機能を有する制御手段を備えた除湿装置において、前記制御手段が、前記人感センサーの検知結果とタイマー機能により、前記除湿手段の運転中のファンモーター速度を制御する機能を備えた構成としたものであり、人感センサーによる人の存在の有無の検知により除湿装置本体の近辺、室内に人がいる時、ファンモーターの運転速度を低減するとともに、人がいなくなってからファンモーターの運転速度の復帰ができ、運転速度復帰後タイマー連動により任意の時間後、すなわち所定時間後に再び運転速度を低減する機能により、人がいるときの騒音防止やいなくなった後の自動的なファンモーター速度の調節による省エネ運転ができる除湿装置が得られるという作用を有する。
【００３２】
また、請求項３記載の発明は、制御手段は、運転状況の表示を行う表示部を備えた除湿装置において、照度センサーの検知結果とタイマー機能により、前記表示部の明度を制御する機能を備えた構成としたものであり、室内の照明が消されたときなど除湿装置本体の周囲が暗い時に運転中の表示の明度を低減するとともに任意の時間後表示を完全に消灯するとことで省エネのできる除湿装置が得られるという作用を有する。
【００３３】
また、請求項４記載の発明は、制御手段は、運転状況の表示を行う表示部を備えた除湿装置において、人感センサーの検知結果とタイマー機能により、前記表示部の明度を制御する機能を備えた構成としたものであり、除湿装置本体の近辺に人がいる時に表示の明度を増加させることにより視認性をよくするとともに、人の検知がなくなってから任意の時間後に表示を消灯する機能により、省エネ運転ができる除湿装置が得られるという作用を有する。
【００３４】
また、請求項５記載の発明は、制御手段は、運転中のファンモーター速度を制御する機能の有効／無効を設定する機能を備えた構成としたものであり、使用者が除湿装置の除湿能力を優先するか騒音低減や省エネ性を優先するか選択ができる除湿装置が得られるという作用を有する。
【００３５】
また、請求項６記載の発明は、制御手段は、運転中のファンモーター速度を制御する機能が動作していることを表示する機能を備えた構成としたものであり、使用者が運転中のファンモーター速度を制御する機能が有効か否かが確認でき利便性の向上の得られる除湿装置が得られるという作用を有する。
【００３６】
また、請求項７記載の発明は、制御手段は、ファンモーターの速度を制御する複数のレベルを保有し、前記レベルを制御手段に接続したレベル設定スイッチにより選択するレベル選択機能を備え、前記レベル設定スイッチの設定値に応じた前記ファンモーターの速度を制御することにより、使用者が騒音低減や省エネ性の度合いを任意に選択することができる除湿装置が得られるという作用を有する。
【００３７】
また、請求項８記載の発明は、制御手段は、照度センサーの感度レベルを複数レベル保有し、前記感度レベルを制御手段に接続した感度レベル設定スイッチにより選択する照度センサー感度設定機能を備え、前記感度レベル設定スイッチの設定値に応じた前記照度センサーの検知結果を用いることにより、使用者が周囲の明るさの環境に応じて騒音低減や省エネ性の度合いを任意に選択することができる除湿装置が得られるという作用を有する。
【００３８】
また、請求項９記載の発明は、制御手段は、人感センサーの感度レベルを複数レベル保有し、前記感度レベルを制御手段に接続した感度レベル設定スイッチにより選択する人感センサー感度設定機能を備え、前記感度レベル設定スイッチの設定値に応じた前記人感センサーの検知結果を用いることにより、使用者が除湿装置と人の位置関係や在室人数などの環境に応じて騒音低減や省エネ性の度合いを任意に選択することができる除湿装置が得られるという作用を有する。
【００３９】
また、請求項１０記載の発明は、制御手段は、タイマーの設定時間を複数保有し、前記タイマーの設定時間を制御手段に接続したタイマー時間設定スイッチにより選択するタイマー時間設定機能を備え、前記タイマー時間設定スイッチの設定値に応じた前記タイマーの設定時間を用いることにより、使用者がタイマー時間を設定することにより環境に応じて騒音低減や省エネ性の度合いを任意に選択することができる除湿装置が得られるという作用を有する。
【００４０】
また、請求項１１記載の発明は、制御手段は、運転中のファンモーター速度を制御する機能が前記ファンモーター速度を制御開始後の所定時間内は制御無効としないことにより、運転中のファンモーター速度を制御する機能によるチャタリングを防止する機能を有する除湿装置が得られるという作用を有する。
【００４１】
以下、本発明の実施の形態について図面を参照しながら説明する。
【００４２】
（実施の形態１）
図１は本願発明の実施の形態１における除湿装置の基本構成を示したものである。
【００４３】
図１に示すように本除湿装置は、除湿装置の本体１に、水タンク２を搭載し、空気吸込口３と空気吹出口４を有している。さらに運転スイッチや運転モードランプからなる操作表示部５および照度センサー６を有している。ここで、照度センサー６としては入力される光の量に応じて電気特性を変化させるフォトダイオードなどが利用できる。
【００４４】
除湿装置の本体１の内部には、ファンモーター２０と空気中の水分を吸着する吸湿剤と、吸湿剤から水分を放出するために吸湿剤を加熱再生するための再生ヒーターと、吸湿剤から放出される水分を凝縮させる凝縮器やエアフィルタなどが収納されている（いずれも符号なきものは図示しない）。
【００４５】
ファンモーター２０を駆動することにより、室内の多湿空気を空気吸込口３から取り込んで吸湿剤で空気中の水分を吸着して除湿し、空気吹出口４から除湿された空気を排出して除湿装置が設置された室内空間を除湿する。
【００４６】
図２は図１に示す表示操作部５の詳細な構成を示したものである。
【００４７】
操作表示部５には、除湿装置の運転を開始するための電源スイッチ１０ａと除湿運転モードを選択する除湿スイッチ１０ｂと衣類乾燥運転モードを選択する衣類乾燥スイッチ１０ｃと照度センサーの検知結果とタイマー機能によりファンモーター速度を制御する機能の有効／無効を設定する静音スイッチ１０ｄと照度センサーの感度レベルを使用者の希望により任意に選択できる感度レベル設定スイッチ１０ｅとタイマー機能のタイマー設定を使用者の希望により設定できる静音タイマー設定スイッチ１０ｆからなる操作部１０と、電源が入っていることを表示する運転表示部１１ａと除湿運転の設定状態を表示する除湿運転表示部１１ｂと衣類乾燥運転の設定状態を表示する衣類乾燥運転表示部１１ｃとファンモーター速度を制御する機能の有効／無効の設定内容を表示する静音制御設定表示部１１ｄとファンモーター速度を制御する機能の有効／無効の動作内容を表示する静音制御動作表示部１１ｅと照度センサーの感度レベル設定を表示する感度レベル値１表示部１１ｆと感度レベル値２表示部１１ｇと感度レベル値３表示部１１ｈとタイマー機能のタイマー設定内容を表示できるタイマー設定値１表示部１１ｉとタイマー設定値２表示部１１ｊとタイマー設定値３表示部１１ｋからなる表示部１１を設ける。ここで、感度レベル表示部およびタイマー表示部にはＬＥＤなどが利用でき、ＬＥＤの色を変えるなどで視認性の向上を図ることもできる。
【００４８】
図３は本願発明における制御装置２１の構成と入出力の構成を示す図である。
【００４９】
制御装置２１には図１および図２で示した照度センサー６と図２で示した操作部１０が入力として接続されている。さらに制御装置２１の出力として、図２で示した表示部１１とファンモーター２０が接続されている。また、制御装置２１にはファンモーター２０の速度を制御する静音制御手段２２と表示部１１への出力を制御する表示出力制御手段２３と静音制御手段２２の有効／無効を設定する静音制御設定機能２４と静音制御手段２２の動作状況を表示する静音制御動作表示機能２５と接続されたセンサーの感度を設定する感度レベル設定機能２６と設定されたセンサー感度レベルを表示する感度レベル表示機能２７とタイマー時間を設定するタイマー設定機能２８を有する。
【００５０】
ここで制御装置２１は、図示しないが各入力条件に対応した出力を各出力部へ出力する制御のためのマイクロコンピュータ（マイコン）を搭載し、マイコンと入出力のインタフェースのためのトランジスタ等の電子部品で構成されている。
【００５１】
図４は制御装置２１のマイコン内のＲＯＭに記憶されたデータを示し、（ａ）は感度レベル設定スイッチ１０ｅで設定した照度センサー６の感度レベルと感度設定値（感度係数）の関係を示すデータであり、（ｂ）はタイマー設定スイッチ１０ｆで設定したタイマー設定値の関係を示すデータである。
【００５２】
図５〜図９は動作を説明するためのフローチャートである。
【００５３】
図５は静音制御手段２２の有効／無効を設定する静音制御設定機能２４の動作に関するフローチャートである。
【００５４】
処理３０において、静音スイッチ１０ｄの入力が有ったかどうか判断を行う。入力が有った場合は処理３１へ移行し、入力が無かった場合は本フローチャートの処理を終了する。処理３１において、静音制御設定の設定内容が有効であるかどうか判断を行う。有効の場合は処理３２へ移行し、無効の場合は処理３３へ移行する。処理３２において、静音制御設定の設定内容を無効に設定する。処理３３において、静音制御設定の設定内容を有効に設定する。
【００５５】
これにより使用者が除湿装置の除湿能力を優先するか騒音低減を優先するか選択が可能となり、使い勝手が向上する。
【００５６】
図６は表示出力制御手段２３および静音制御表示機能２５の動作に関するフローチャートである。
【００５７】
処理３４において、静音制御手段２２が動作中であるかの判断を行う。動作中の場合は処理３５へ移行し、動作中でない場合は処理３７へ移行する。処理３５において、静音制御動作表示部１１ｅへＯＮ出力を行う。処理３６において、表示部１１の各表示の明度を低減する。処理３７において、静音制御動作表示部１１ｅへＯＦＦ出力を行う。ここで、表示部１１の明度の低減方法としては、ＯＮ／ＯＦＦを数十ミリ秒程度の間隔で繰り返しＯＮ時間とＯＦＦ時間の比率を変えることによって調整が可能である。
【００５８】
これにより使用者が静音制御手段２２の動作状況の確認ができ使い勝手が向上する。また、静音制御手段２２が動作中に表示出力を低減することにより、周囲が暗いときのまぶしさの防止や省エネを図ることができる。
【００５９】
図７は感度レベル設定機能２６の動作に関するフローチャートである。
【００６０】
処理３８において、感度レベル設定スイッチ１０ｅの入力が有ったかどうかの判断を行う。入力が有った場合は、処理３９へ移行し、入力が無かった場合は本フローチャートの処理を終了する。
【００６１】
処理３９において、設定中の感度レベルが最大レベルのレベル値３であるか判断を行う。最大レベルの場合は処理４０へ移行し、それ以外の場合は処理４１へ移行する。処理４０において、感度レベルを最小レベルのレベル値１に設定する。処理４１において、感度レベルを設定中のレベルのワンランク上（＋１）のレベルに設定する。
【００６２】
これにより使用者が使用環境に合ったセンサー検知感度を任意に選択可能となり使い勝手の向上が図れる。
【００６３】
図８はタイマー設定機能２８の動作に関するフローチャートである。
【００６４】
処理４２において、タイマー設定スイッチ１０ｆの入力が有ったかどうかの判断を行う。入力が有った場合は、処理４３へ移行し、入力が無かった場合は本フローチャートの処理を終了する。
【００６５】
処理４３において、設定中のタイマー設定値が最大設定値のタイマー設定値３であるか判断を行う。最大設定値の場合は処理４４へ移行し、それ以外の場合は処理４５へ移行する。処理４４において、タイマー設定値を最小設定値のタイマー設定値１に設定する。処理４５において、タイマー設定値を設定中のタイマー設定値のワンランク上（＋１）のタイマー設定値に設定する。
【００６６】
これにより使用者が使用環境に合ったタイマー設定値を任意に選択可能となり使い勝手の向上が図れる。
【００６７】
図９は静音制御手段２２に関わる動作についてのフローチャートである。
【００６８】
処理４６において、静音制御設定機能２４の設定内容が有効の場合は処理４７へ移行し、無効の場合は処理５８へ移行する。
【００６９】
処理４７において、電源スイッチ１０ａによる除湿運転されているかどうか判断を行う。除湿運転されている場合は処理４８へ移行し、停止中の場合は処理５４へ移行する。
【００７０】
処理４８において、照度センサー６の値の読み込みを行う。
【００７１】
処理４９において、処理４８で読み込んだ照度センサー６の読み込み値と感度レベル設定機能２６で設定された感度設定値の大小比較を行う。感度設定値は、図４（ａ）の感度レベルに対応した感度係数により決定する。例えば、感度レベル値１の感度設定値が４００の場合、感度レベル値２の感度設定値は４００×０．８＝３２０となり、感度レベルが高い程、感度設定値の示す明るさは除湿装置の本体１の周囲が明るい照度となる。ここで、照度センサーの読み込み値は値が大きいほど暗く小さいほど明るい状態を示す。照度センサー６の読み込み値が感度設定値以上の場合は処理５０へ移行し、それ以外の場合は処理５３へ移行する。
【００７２】
処理５０において、運転制御中の時間としてタイマー動作時間のカウントを行う。
【００７３】
処理５１において、除湿装置の静音制御を行う。ここでの静音制御は、ファンモーター２０の回転数を下げることによって行う。ここで、下げる回転数は元の回転数に対して一定割合で下げる方法（例えば元の回転数が８００回転／毎分に対して２５％の２００回転下げる）方法や、十分に騒音が低減される一定の回転数（例えば５００回転）に一律に下げる方法がある。また、ファンモーターの回転数を下げる方法としてはパルス幅変調方式（ＰＷＭ制御）による電圧制御などが利用できる。
【００７４】
処理５２において、運転制御開始後の動作時間のカウントを行う。なお、処理５２のカウント値を格納するメモリの容量が十分に大きければ前記処理５０におけるタイマーのカウント値と兼用もできる。
【００７５】
処理５３において、処理５１における静音制御が開始されてからのタイマーカウント値とタイマー設定機能２８で設定されたタイマー設定値と比較を行う。タイマーカウント値がタイマー設定値以上の場合は処理５４へ移行し、タイマーカウント値がタイマー設定値未満の場合は処理５０へ移行する。
【００７６】
処理５４において、処理５１における静音制御が開始されてからの動作時間カウント値と静音制御におけるファン速制御のチャタリングを防止するためのマスクする所定時間の比較を行う。ここで、マスク所定時間の一例としてファンモーター２０や再生ヒーターなどの保護のために３分とする。動作時間カウント値がマスク所定時間以上の場合は処理５５へ移行し、動作カウント値がマスク所定時間未満の場合は処理５１へ移行する。
【００７７】
処理５５において、除湿運転の停止制御を行う。
【００７８】
処理５６において、タイマーカウント値のリセットを行う。
【００７９】
処理５７において、動作時間のカウント値のリセットを行う。
【００８０】
処理５８において、静音制御の解除を行い通常運転制御に戻す。
【００８１】
これにより、照度センサー６の明るさ検知により室内の照明が消されたときなど除湿装置本体の周囲，室内が暗い時にファンモーターの回転数を下げることにより騒音が低減でき、タイマー連動により前記ファンモーターの回転数を下げた後の任意の時間後、すなわち所定時間後に運転停止する機能により騒音防止や省エネ運転を図ることができる。所定時間は除湿状況に応じて任意に選択すれば良く、例えば、１時間から６時間程度の除湿運転後の除湿運転の停止がある。
【００８２】
また、静音制御を解除されたときなどに除湿装置のファンモーターの回転数を制御する動作のチャタリング防止が図れる。
【００８３】
以上の図３〜図９で説明した動作は、制御装置２１に搭載される前記のマイコン内で動作するプログラムによる制御として実施される。
【００８４】
（実施の形態２）
本発明の実施の形態１と同一部分は同一番号を附し、詳細な説明は省略する。図１０は本発明の実施形態に関わる除湿装置の構成を示した図である。図１１は本発明の実施形態に関わる操作表示部５の構成を示した図である。図１２は本発明の実施形態に関わる制御装置２１の構成と入出力の構成を示した図である。
【００８５】
図１０〜図１２において、実施の形態１と異なるところは、制御装置２１に接続するセンサーを実施の形態１における照度センサー６に替えて、除湿装置の近辺の人の存在を検知する人感センサー６０を設けた点である。図１０〜図１２において実施の形態１と同じ構成要素については同じ符号を用いその説明を省略する。ここで、人感センサー６０としては人体の発する赤外線を検知する赤外線センサーを用いたものなどが利用できる。
【００８６】
図１３は制御装置２１のマイコン内のＲＯＭに記憶されたデータを示し、（ａ）は感度レベル設定スイッチ１０ｅで設定した人感センサー６０の感度レベルと感度設定値（感度係数）の関係を示すデータであり、（ｂ）は静音タイマー設定スイッチ１０ｆで設定したタイマー設定値の関係を示すデータである。
【００８７】
図１４は静音制御表示機能２５の動作に関するフローチャートである。
【００８８】
処理６１において、静音制御手段２２が動作中であるかの判断を行う。動作中の場合は処理６２へ移行し、動作中でない場合は処理６３へ移行する。処理６２において、静音制御動作表示部１１ｅへＯＮ出力を行う。処理６３において、静音制御動作表示部１１ｅへＯＦＦ出力を行う。
【００８９】
これにより使用者が静音制御手段２２の動作状況の確認ができ使い勝手が向上する。
【００９０】
図１４は静音制御手段２２および表示出力制御手段２３に関わる動作についてのフローチャートである。
【００９１】
処理７０において、静音制御設定機能２４の設定内容が有効の場合は処理７１へ移行し、無効の場合は処理８５へ移行する。
【００９２】
処理７１において、電源スイッチ１０ａによる除湿運転されているかどうか判断を行う。除湿運転されている場合は処理７２へ移行し、停止中の場合は処理８１へ移行する。
【００９３】
処理７２において、人感センサー６０の値の読み込みを行う。
【００９４】
処理７３において、処理７２で読み込んだ人感センサー６０の読み込み値と感度レベル設定機能２６で設定された感度設定値の大小比較を行う。感度設定値は、図１３（ａ）の感度レベルに対応した感度係数により決定する。例えば、感度レベル値１の感度設定値が４００の場合、感度レベル値３の感度設定値は４００×０．４＝１６０となり、感度レベルが高い程、感度設定値は除湿装置の本体１の近辺の人の動きに敏感に反応する。ここで、人感センサーの読み込み値は値が大きいほど人への反応が少なく小さいほど人への反応が大きい状態を示す。人感センサー６０の読み込み値が感度設定値以上の場合は処理７４へ移行し、それ以外の場合は処理７８へ移行する。
【００９５】
処理７４において、静音制御中のタイマー動作時間のリセットを行う。
【００９６】
処理７５において、除湿装置の静音制御を行う。ここでの静音制御は、ファンモーター２０の回転数を下げることによって行う。ここで、下げる回転数は元の回転数に対して一定割合で下げる方法（例えば元の回転数が８００回転／毎分に対して２５％の２００回転下げる）方法や、十分に騒音が低減される一定の回転数（例えば５００回転）に一律に下げる方法がある。また、ファンモーターの回転数を下げる方法としてはパルス幅変調方式（ＰＷＭ制御）による電圧制御などが利用できる。
【００９７】
処理７６において、表示部１１の各表示の明度を低減する。ここで、表示部１１の明度の低減方法としては、ＯＮ／ＯＦＦを数十ミリ秒程度の間隔で繰り返しＯＮ時間とＯＦＦ時間の比率を変えることによって調整が可能である。
【００９８】
処理７７において、運転制御開始後の動作時間のカウントを行う。なお、処理７７のカウント値を格納するメモリの容量が十分に大きければ前記処理７４におけるタイマーのカウント値と兼用もできる。
【００９９】
処理７８において、処理７５で処理されている静音制御が動作中か否かの判定を行う。静音制御が動作中の場合は処理７９へ移行し、動作していなければ処理８１へ移行する。
【０１００】
処理７９において、静音制御中の時間としてタイマー時間のカウントを行う。
【０１０１】
処理８０において、処理７５における静音制御が開始されてからのタイマーカウント値とタイマー設定機能２８で設定されたタイマー設定値と比較を行う。タイマーカウント値がタイマー設定値以上の場合は処理８１へ移行し、タイマーカウント値がタイマー設定値未満の場合は処理７５へ移行する。
【０１０２】
処理８１において、処理７５における静音制御が開始されてからの動作時間カウント値と静音制御におけるファン速制御のチャタリングを防止するためのマスクする所定時間の比較を行う。ここで、マスク所定時間の一例としてファンモーター２０や再生ヒーターなどの保護のために３分とする。動作時間カウント値がマスク所定時間以上の場合は処理８２へ移行し、動作カウント値がマスク所定時間未満の場合は処理７５へ移行する。
【０１０３】
処理８２において、除湿運転の停止制御を行う。
【０１０４】
処理８３において、表示部１１の各表示の明度を低減する。ここで、処理８３の実現方法としては処理７６を流用できる。
【０１０５】
処理８４において、動作時間のカウント値のリセットを行う。
【０１０６】
処理８５において、静音制御中のタイマー動作時間のリセットを行う。
【０１０７】
処理８６において、静音制御の解除を行い通常運転制御に戻す。
【０１０８】
これにより、除湿装置の本体１の近辺に人がいる時にファンモーターの回転数を下げることにより騒音が低減でき、さらには人がいなくなった後の任意の時間後に運転停止する機能により、人感センサー６０による人の存在の有無の検知により人がいるときの騒音防止や、タイマー連動によりいなくなった後の任意の時間後、すなわち所定時間後の自動停止による省エネ運転を図ることができる。所定時間は除湿状況に応じて任意に選択すれば良く、例えば、１時間から６時間程度の除湿運転後の除湿運転の停止がある。
【０１０９】
また、静音制御手段２２が動作中に表示出力を低減することにより、周囲が暗いときのまぶしさの防止や省エネを図ることができる。
【０１１０】
また、静音制御を解除されたときなどにファンモーターの回転数を制御する動作のチャタリング防止が図れる。
【０１１１】
以上の図１３〜図１５で説明した動作は、制御装置２１に搭載される前記のマイコン内で動作するプログラムによる制御として実施される。
【０１１２】
（実施の形態３）
本発明の実施の形態１または２と同一部分は同一番号を附し、詳細な説明は省略する。図１６は本発明の実施形態に関わる操作表示部５の構成を示した図である。
【０１１３】
図１６において、実施の形態１と図２と異なるところは、制御装置２１の操作部１０に静音制御におけるファンモーターの回転数を下げる度合いを選択する静音レベル設定スイッチ１０ｇと、表示部１１に静音レベルの設定を表示する静音レベル値１表示部１１ｍと静音レベル値２表示部１１ｎと静音レベル値３表示部１１ｏを設けた点である。
【０１１４】
図１７は本発明の実施形態に関わる制御装置２１の構成と入出力の構成を示した図である。
【０１１５】
図１７において、実施の形態１の図３と異なるところは、静音レベルスイッチ１０ｇによって設定された静音レベルに対するファンモーターの下げる回転数を決定する静音レベル設定機能９０を設けた点である。
【０１１６】
図１８は制御装置２１のマイコン内のＲＯＭに記憶されたデータの中で実施の形態１にないデータを示し、静音レベル設定スイッチ１０ｇで設定した静音レベルとファン速低減率の関係を示すデータである。
【０１１７】
図１９は静音レベル設定機能９０の動作に関するフローチャートである。
【０１１８】
処理９１において、静音レベル設定スイッチ１０ｇの入力が有ったかどうかの判断を行う。入力が有った場合は、処理９２へ移行し、入力が無かった場合は本フローチャートの処理を終了する。
【０１１９】
処理９２において、設定中の静音レベルが最大レベルのレベル値３であるか判断を行う。最大レベルの場合は処理９３へ移行し、それ以外の場合は処理９４へ移行する。処理９３において、静音レベルを最小レベルのレベル１に設定する。処理９４において、静音レベルを設定中のレベルのワンランク上（＋１）のレベルに設定する。
【０１２０】
これにより使用者が使用環境に合ったファンモーターの回転数の下げる値を任意に選択可能となり使い勝手の向上が図れる。
【０１２１】
図２０は静音制御動作表示機能２５の動作に関するフローチャートである。
【０１２２】
図２０において実施の形態１と異なるところについて説明する。処理９５においてファンモーターの回転数を下げるときに静音レベル設定機能９０で設定された静音レベルに合わせてファンモーターの回転数を下げる。例えば、静音制御開始前のファンモーター回転数が９００回転であり静音レベルが静音レベル値２であった場合、９００×０．３で２７０回転下げることになる（出力は９００−２７０で６３０回転）。
【０１２３】
これにより使用者が除湿能力と騒音低減のバランスを選択しながら、人感センサー６０による人の存在の有無の検知により除湿装置の本体１の近辺に人がいる時にファンモーターの回転数を下げ騒音が低減でき、さらにはタイマー連動により人がいなくなった後の任意の時間後、所定時間後に運転停止する機能により、人がいるときの騒音防止やいなくなった後の自動停止による省エネ運転を図ることができる。所定時間は除湿状況に応じて任意に選択すれば良く、例えば、１時間から６時間程度がある。
【０１２４】
また、静音制御手段２２が動作中に表示出力を低減することにより、周囲が暗いときのまぶしさの防止や省エネを図ることができる。
【０１２５】
また、静音制御を解除されたときなどにファンモーターの回転数を制御する動作のチャタリング防止が図れる。
【０１２６】
以上の図１８〜図２０で説明した動作は、制御装置２１に搭載される前記のマイコン内で動作するプログラムによる制御として実施される。
【０１２７】
なお、以上の実施の形態３による実施の方法は実施の形態２においても図１６と図１７において同様の追加を行い、図１８と図１９を同様に用い、図２０における処理９５を図１５の処理７５を同様に置き換えを行うことで容易に実現できる。
【産業上の利用可能性】
【０１２８】
本発明の照度センサーまたは人感センサーの検知結果とタイマー制御によりファンモーターの回転数を制御する技術は、室内の照明が消されたときなど機器本体の周囲が暗い時の騒音を低減し任意の時間後に運転停止することで省エネ運転のできる効果や、人がいるときの騒音の低減や人がいなくなってから任意の時間後に運転停止することで省エネ運転のできる効果があるため、家庭用の空気清浄機や加湿機などの家庭用電化機器、あるいは業務用機器、産業用機器などにも適用できる。
【図面の簡単な説明】
【０１２９】
【図１】本発明の実施の形態１の除湿装置の構成を示す図
【図２】同除湿装置の操作表示部の構成を示す図
【図３】同除湿装置の制御装置２１と入出力の構成を示す図
【図４】同除湿装置のマイコン内のＲＯＭに記憶されたデータの一例を示す図（（ａ）同照度センサーの感度レベルと感度設定値（感度係数）の関係を示す図、（ｂ）同タイマー設定値とタイマー時間の関係を示す図）
【図５】同除湿装置の静音制御設定機能のフローチャートの一例を示す図
【図６】同除湿装置の表示出力制御手段および静音制御動作表示機能のフローチャートの一例を示す図
【図７】同除湿装置の感度レベル設定機能のフローチャートの一例を示す図
【図８】同除湿装置のタイマー設定機能のフローチャートの一例を示す図
【図９】同除湿装置の静音制御手段のフローチャートの一例を示す図
【図１０】本発明の実施例２の除湿装置の構成を示す図
【図１１】同除湿装置の操作表示部の構成を示す図
【図１２】同除湿装置の制御装置２１と入出力の構成を示す図
【図１３】同除湿装置のマイコン内のＲＯＭに記憶されたデータの一例を示す図（（ａ）同人感センサーの感度レベルと感度設定値（感度係数）の関係を示す図、（ｂ）タイマー設定値とタイマー時間の関係を示す図）
【図１４】同除湿装置の静音制御動作表示機能のフローチャートの一例を示す図
【図１５】同除湿装置の静音制御手段および表示出力制御手段のフローチャートの一例を示す図
【図１６】同除湿装置の操作表示部の構成を示す図
【図１７】同除湿装置の制御装置２１と入出力の構成を示す図
【図１８】同除湿装置のマイコン内のＲＯＭに記憶されたデータの一例を示す図
【図１９】同除湿装置の静音レベル設定機能のフローチャートの一例を示す図
【図２０】同除湿装置の静音制御手段のフローチャートの一例を示す図
【図２１】従来例の除湿装置構成図
【符号の説明】
【０１３０】
１      本体
２      水タンク
３      空気吸込口
４      空気吹出口
５      操作表示部
６      照度センサー
１０    操作部
１０ａ  電源スイッチ
１０ｂ  除湿スイッチ
１０ｃ  衣類乾燥スイッチ
１０ｄ  静音スイッチ
１０ｅ  感度レベル設定スイッチ
１０ｆ  静音タイマー設定スイッチ
１１    表示部
１１ａ  運転表示部
１１ｂ  除湿運転表示部
１１ｃ  衣類乾燥運転表示部
１１ｄ  静音制御設定表示部
１１ｅ  静音制御動作表示部
１１ｆ  感度レベル値１表示部
１１ｇ  感度レベル値２表示部
１１ｈ  感度レベル値３表示部
１１ｉ  タイマー設定値１表示部
１１ｊ  タイマー設定値２表示部
１１ｋ  タイマー設定値３表示部
２０    ファンモーター
２１    制御装置
２２    静音制御手段
２３    表示出力制御手段
２４    静音制御設定機能
２５    静音制御表示機能
２６    感度レベル設定機能
２７    感度レベル表示機能
２８    タイマー設定機能
６０    人感センサー
【図１】
2008161744.tif 000003
【図２】
2008161744.tif 000004
【図３】
2008161744.tif 000005
【図４】
2008161744.tif 000006
【図５】
2008161744.tif 000007
【図６】
2008161744.tif 000008
【図７】
2008161744.tif 000009
【図８】
2008161744.tif 000010
【図９】
2008161744.tif 000011
【図１０】
2008161744.tif 000012
【図１１】
2008161744.tif 000013
【図１２】
2008161744.tif 000014
【図１３】
2008161744.tif 000015
【図１４】
2008161744.tif 000016
【図１５】
2008161744.tif 000017
【図１６】
2008161744.tif 000018
【図１７】
2008161744.tif 000019
【図１８】
2008161744.tif 000020
【図１９】
2008161744.tif 000021
【図２０】
2008161744.tif 000022
【図２１】
2008161744.tif 000023